(57)【要約】【課題】円柱などの非平面を有する柱に金具などを取り付けることなく、円柱の太さに合わせて取り付けることができる表示装置を提供する。【解決手段】図５（１）は、モニター１００をスタンド２００の上側に設置するように取り付けた状態である。このように表示装置１０を取り付けるためには、表示器１１０の正面が外側に向くように回転させ、スタンド２００を開いた状態で円柱（ア）に回転体２１０を回して器筐部２３０に係合させて固定する。図５（２）は、モニター１００をスタンド２００の下側に設置するように取り付けた状態である。このように表示装置１０を取り付けるためには、表示器１１０を外側に向くように回転させ、更に、モニター１００を床側、スタンド２００が天井側となるように表示装置１０の上下を逆にする。次に、スタンド２００を開いた状態で円柱（ア）に回転体２１０を回して器筐部２３０に係合させて固定する。【選択図】図５
2012032742.tif 000002
【特許請求の範囲】
【請求項１】
スタンドを備えた表示装置において、
前記スタンドは、
外側に歯孔が形成された円弧状の回転体と、
一方の端部に前記回転体の一方の端部が回転自在に保持され、他方の端部に前記回転体の他方の端部が挿入可能な器筐部を有する器筐体を備え、
前記器筐部は、
円周方向に等間隔に配置され且つ前記歯孔に係合する径方向に延びた複数の突起を有する歯車と、
当接部を前記突起に当接させることにより前記歯車の回転を係止する状態と、
前記歯車の回転の係止を解除する錠子と、
を備え、
前記器筐部に挿入された前記回転体を前記錠体により係止し、
前記錠子により前記歯車の回転の係止を解除することを特徴とする表示装置。
【請求項２】
前記回転体には前記歯孔に沿って弧状溝が形成され、前記器筐部には回転体挿入部に前記弧状溝に係合して前記回転体をガイドする凸部が形成されていることを特徴とする請求項１に記載の表示装置。
【請求項３】
前記錠子にロック解除レバーを備え、
前記ロック解除レバーを回動させることで前記錠子を回動させ、前記歯車を回転可能とすることを特徴とする請求項１または請求項２に記載の表示装置。
【請求項４】
前記器筐部に前記錠子と同位置に係合孔が形成され、
前記係合孔から前記ロック解除レバーが回動可能であることを特徴とする請求項３に記載の表示装置。
【請求項５】
前記歯車の軸の頭部に溝が形成され、
前記溝により前記歯車が回転可能であることを特徴とする請求項１から請求項４のいずれか１項に記載の表示装置。
【請求項６】
前記歯車と同心に前記器筐部に歯車孔が形成され、
前記歯車孔から前記歯車が回転可能であることを特徴とする請求項５に記載のスタンドを備えた表示装置。
【請求項７】
前記回転体と前記器筐体の内側部分は、粘着素材で覆われていることを特徴とする請求項１から請求項６のいずれか１項に記載の表示装置。
【請求項８】
前記スタンドは、水平に保持するための水平保持カバーを備えていることを特徴とする請求項１から請求項７のいずれか１項に記載の表示装置。
【請求項９】
前記表示装置は、水平方向または垂直方向に回転できるモニターを備えていることを特徴とする請求項１から請求項８のいずれか１項に記載の表示装置。
【請求項１０】
モニターと固定装置を備えた表示装置において、
前記モニターは、表示器、スタンド取付部、及びスタンドを備え、
前記表示器に前記スタンド取付部が取り付けられ、前記スタンド取付部に前記スタンドが取り付けられ、
前記固定装置は、ベルト、プレート、及びプレート固定具、ベルト固定具を備え、
前記ベルトと前記プレートは前記プレート固定具に取り付けられ、
前記プレートに前記スタンドが取り付けられ、
前記ベルトを前記ベルト固定具で固定することを特徴とする表示装置。
【請求項１１】
前記ベルトの内側部分は、粘着素材で覆われていることを特徴とする請求項１０に記載の表示装置。
【請求項１２】
前記モニターは、水平方向または垂直方向に回転できることを特徴とする請求項１１に記載の表示装置。
【発明の詳細な説明】
【技術分野】
【０００１】
本発明は、表示装置に係り、特に円柱状のものに取り付けることができる表示装置に関する。
【背景技術】
【０００２】
近年、表示装置の薄型化や軽量化に伴い、表示装置を様々な形態で設置することが可能となった。例えば、表示装置をフロアーに設置する場合は、表示装置にスタンドを取り付けることで表示装置をフロアーに設置することができる。また、表示装置を壁に設置する場合は、壁と表示装置に壁掛け金具を取り付け、壁の金具に表示装置の金具を掛けることで壁に表示装置を取り付けることができる。また、表示装置を天井から吊す場合は、表示装置を支える棒（以下、天吊りブラケットという）を天井に取り付け、また天吊りブラケットの先端と表示装置に金具を取り付け、天吊りブラケットの金具に表示装置の金具を掛けることで天井から表示装置を吊すことができる。このように、フロアー、壁、及び天井などの平面に、表示装置を取り付けることができる。
【０００３】
液晶テレビをどのような角度のコーナーにも掛けることができる技術として特開２０００−３１２３１８号公報（特許文献１）を挙げることができる。特許文献１に開示の技術である全壁面対応型液晶テレビ壁掛け金具は、角度調節部によって壁の角度に合わせることができる取付金具部と、液晶テレビのフックを掛止する液晶テレビ掛止部を備えている。この取付金具部をネジで壁に固定し、液晶テレビ掛止部に液晶テレビを掛けることで、壁のどのような角度のコーナー部及び平面の壁にも液晶テレビを掛けることを可能にしている。
【先行技術文献】
【特許文献】
【０００４】
【特許文献１】特開２０００−３１２３１８号公報
【発明の概要】
【発明が解決しようとする課題】
【０００５】
しかしながら、特許文献１に開示の技術における壁掛け金具は、壁の角度のあるコーナー及び平面の壁にも液晶テレビをかけることができるが、平面でないもの（以下、非平面という）にはかけることはできない。また、液晶テレビを壁にかけるためには、壁に取り付ける取付金具部をネジで壁に固定しなければならないので、容易に液晶テレビを掛けることはできない。
【０００６】
本発明はこのような状況に鑑みてなされたものであり、上記課題を解決できる表示装置を提供することを目的とする。
【課題を解決するための手段】
【０００７】
本発明の表示装置は、スタンドを備えた表示装置において、前記スタンドは、外側に歯孔が形成された円弧状の回転体と、一方の端部に前記回転体の一方の端部が回転自在に保持され、他方の端部に前記回転体の他方の端部が挿入可能な器筐部を有する器筐体を備え、前記器筐部は、円周方向に等間隔に配置され且つ前記歯孔に係合する径方向に延びた複数の突起を有する歯車と、当接部を前記突起に当接させることにより前記歯車の回転を係止する状態と、前記歯車の回転の係止を解除する錠子と、を備え、前記器筐部に挿入された前記回転体を前記錠体により係止し、前記錠子により前記歯車の回転の係止を解除することを特徴としている。
また、本発明の表示装置の前記回転体には前記歯孔に沿って弧状溝が形成され、前記器筐部には回転体挿入部に前記弧状溝に係合して前記回転体をガイドする凸部が形成されていることを特徴としている。
また、本発明の表示装置の前記錠子にロック解除レバーを備え、前記ロック解除レバーを回動させることで前記錠子を回動させ、前記歯車を回転可能とすることを特徴としている。
また、本発明の表示装置の前記器筐部に前記錠子と同位置に係合孔が形成され、前記係合孔から前記ロック解除レバーが回動可能であることを特徴としている。
また、本発明の前記歯車の軸の頭部に溝が形成され、前記溝により前記歯車が回転可能であることを特徴としている。
また、本発明の表示装置の前記歯車と同心に前記器筐部に歯車孔が形成され、前記歯車孔から前記歯車が回転可能であることを特徴としている。
また、本発明の表示装置の前記回転体と前記器筐体の内側部分は、粘着素材で覆われていることを特徴としている。
また、本発明の表示装置の前記スタンドは、水平に保持するための水平保持カバーを備えていることを特徴としている。
また、本発明の表示装置は、水平方向または垂直方向に回転できるモニターを備えていることを特徴としている。
また、本発明の表示装置は、モニターと固定装置を備えた表示装置において、前記モニターは、表示器、スタンド取付部、及びスタンドを備え、前記表示器に前記スタンド取付部が取り付けられ、前記スタンド取付部に前記スタンドが取り付けられ、前記固定装置は、ベルト、プレート、及びプレート固定具、ベルト固定具を備え、前記ベルトと前記プレートは前記プレート固定具に取り付けられ、前記プレートに前記スタンドが取り付けられ、前記ベルトを前記ベルト固定具で固定することを特徴としている。
また、本発明の表示装置の前記ベルトの内側部分は、粘着素材で覆われていることを特徴としている。
また、本発明の表示装置の前記モニターは、水平方向または垂直方向に回転できることを特徴としている。
【発明の効果】
【０００８】
本発明によれば、非平面を有する柱に金具などを取り付けることなく取り付けることができる表示装置を提供することができる。
【図面の簡単な説明】
【０００９】
【図１】本発明の第１の実施形態に係る表示装置の外観を示す図である。
【図２】本発明の第１の実施形態に係る表示装置の上面及びＤ−Ｄ断面を示す図である。
【図３】本発明の第１の実施形態に係る表示装置が備えるスタンドの構造を示す図である。
【図４】本発明の第１の実施形態に係る器筐部の構造を示す図である。
【図５】本発明の第１の実施形態に係る表示装置を円柱に取り付けた状態を示す図である。
【図６】本発明の第２の実施形態に係る表示装置のモニターと固定装置の構造を示す図である。
【図７】本発明の第２の実施形態に係る表示装置を円柱に取り付けた状態を示す図である。
【発明を実施するための形態】
【００１０】
以下、本発明を実施するための第１の実施形態（以下、「実施形態１」という）を、図面を参照して説明する。実施形態１における表示装置１０の外観図、表示装置１０のモニター１００を設置するスタンド２００の構造、及び表示装置１０が円柱などの非平面を有する柱に取り付けられた状態について順に説明する。
【００１１】
図１に表示装置１０の外観を示す。図１に示すように表示装置１０は、モニター１００とスタンド２００から構成されている。モニター１００は、表示器１１０とスタンド取付部１２０から構成されている。スタンド２００は、フロアーや机の上に設置でき、また円柱などの非平面を有する柱に取り付けられる構造となっている。スタンド２００の構造については、後述する。スタンド２００はモニター取付溝２５０を備え、モニター１００のスタンド取付部１２０をこのモニター取付溝２５０に挿入することで、スタンド２００にモニター１００を固定することができる。また、表示器１１０は、スタンド取付部１２０を軸として矢印Ａ方向に３６０度回転させることができる。図１（２）に示す表示装置１０は、図１（１）の表示装置１０の表示器１１０を１８０度回転させた状態である。表示装置１０をフロアーや机の上に設置するときは、表示器１１０の正面を図１（１）に示す方向に向けるようにする。また、表示装置１０を円柱に取り付けるときは、正面を図１（２）に示す方向に向けるようにする。
【００１２】
図２（１）に表示装置１０の上面、図２（２）に表示装置１０の側方の断面を示す。図２（１）に示すように表示器１１０は、スタンド取付部１２０を軸として矢印Ａ方向に３６０度回転させることができる。図２（２）の表示装置１０の側方の断面は、図２（１）に示す表示装置１０のＤ−Ｄ断面である。但し器筐部２３０の構造物については図示を省略してある。図２（２）に示すスタンド２００を構成する回転体２１０、自由端２１１、円弧状部２２１、表側円弧状部２２１ａ、裏側円弧状部２２１ｂ、器筐部２３０、突起２３ａ、及び水平保持カバー２６０については、後述する。
【００１３】
図３にスタンド２００の構造を示す。図３（１）は、スタンド２００を開いた状態であり、図３（２）は、スタンド２００を閉じた状態である。フロアーや机の上に設置するときは、スタンド２００を閉じた状態で使用する。図３（１）に示すように、スタンド２００は、円弧状の回転体２１０と、この回転体２１０を回転自在に保持した器筐体２２０、この器筐体２２０に形成され回転体２１０の自由端２１１が挿入される器筐部２３０から構成されている。回転体２１０の自由端２１１側の約半分には、その外側の側面に一定間隔で並んだ複数の孔からなる歯孔２１２が形成されている。また、歯孔２１２に沿って、回転体２１０の互いに対面する表面と裏面には、一対の弧状溝２１３が形成されている。器筐体２２０は、板状の部材であって、円弧状部２２１を備え、円弧状部２２１の先端部２２２に備わるピン２４０により回転体２１０の基端部２１４を軸支している。図２（２）に示す表側円弧状部２２１ａは円弧状部２２１の表面側部材を示し、裏側円弧状部２２１ｂは円弧状部２２１の裏面側部材を示している。器筐体２２０には、モニター１００のスタンド取付部１２０を挿入し固定できるモニター取付溝２５０が設けられている。また、器筐部２３０には、歯車孔２３１と係合孔２３２が設けられている。
【００１４】
このようなスタンド２００をフロアーや机の上に設置するときには、例えば回転体２１０に水平保持カバー２６０を取り付けることで、回転体２１０と器筐体２２０の裏面の段差を吸収しスタンド２００を水平に保持することができる。この水平保持カバー２６０は、スタンド２００を円柱に取り付けるときには、容易に取り外すことができる。（図３（１）は取り外した状態、図３（２）は取り付けた状態を示している。）また、粘着力のある耐震マットなどとしてスタンド２００の下に置くようにすることでも、スタンド２００を水平に保持することができる。この耐震マットについても、スタンド２００を円柱に取り付けるときには、容易に取り外すことができる。更に、スタンド２００の回転体２１０と器筐体２２０の内側部分は、スタンド２００を円柱に取り付けたときに滑らないようにするために、粘着力のあるゴムや高粘質ゲルなどの粘着素材２７０で覆われている。表示装置１０をフロアーや机の上に設置するときには、この水平保持カバー２６０により、スタンド２００がフロアーや机の上で水平に保つことができ、また円柱などの非平面を有する柱に取り付けるときには粘着素材２７０により、スタンド２００が円柱を滑らないようにすることができる。
【００１５】
次に、回転体２１０の自由端２１１が挿入される器筐部２３０の構造について説明する。図４（１）にスタンド２００が閉じていて開くことができない状態（以下、ロック状態という）における器筐部２３０の構造を示す。図４（２）にスタンド２００が閉じているが開くことができる状態（以下、ロック解除状態という）における器筐部２３０の構造を示す。
【００１６】
まず、図４（１）に示す回転体２１０がロック状態における器筐部２３０の空間部の構造について説明する。図４（１）では表側円弧状部２２１ａを取り除いて器筐体２３０の内部を示している。図４（１）に示すように、器筐体２２０の円弧状部２２１は、回転体２１０の自由端２１１が差し込まれる溝が構成されている。また、その溝には内側面からわずかに突出した凸部の突起２３ａが形成され（図２（２）も参照）、この突起２３ａが、回転体２１０の回動に伴ってその弧状溝２１３に系合し、回動方向にガイドする。器筐部２３０の内部に形成された空間部には、等ピッチの突起を有した歯車２３ｂが軸２３ｎで軸支され、また錠体２３ｃの基端部２３ｇが軸２３ｊで回転可能に軸支されている。歯車２３ｂの軸２３ｎは歯車孔２３１と同心に形成され、歯車２３ｂは軸２３ｎに回転可能に軸支されている。また、歯車２３ｂの軸２３ｎの頭部には六角形の溝２３ｐが形成されて歯車孔２３１から差し込まれる六角レンチなどにより手動でも歯車２３ｂを時計方向に回転できる構造となっている。板ばね２３ｄは、支柱２３ｋに巻き付けられ、一方の端が支柱２３ｑに左側から当接して保持され、他方の端が錠体２３ｃに係合して錠体２３cを歯車２３ｂ側に付勢されて、錠体２３ｃは、その先端の当接面２３ｍが歯車２３ｂの谷部に当接している。また、基端部２３ｇの一方の側の側面には切欠き部２３ｈが形成されている。この切欠き部２３ｈの近傍には、器筐体２２０に形成された係合孔２３２と対応して形成された錠子２３ｅが位置し、錠子２３ｅにロック解除レバー２３ｆが配置されている。そして、この錠子２３ｅに配置されたロック解除レバー２３ｆを時計回りに回転させることにより、図４（２）に示すように錠体２３cが矢印Ｂ方向に傾いて歯車２３ｂのロック状態が解かれ、歯車２３ｂが反時計回りに回転できるようになっている。
【００１７】
このような構造のスタンド２００において、回転体２１０の自由端２１１の歯孔２１２を器筐部２３０の歯車２３ｂに係合させることで、図３（２）に示すようにスタンド２００を閉じることができる。この時、回転体２１０の弧状溝２１３は、器筐部２３０の突起２３ａに係合して、回転体２１０を安定に揺動させる。また、歯車２３ｂに錠体２３ｃが係合した状態のときには、錠子２３ｅの係止部２３ｉが錠体２３ｃの切欠き部２３ｈ内の空間部に位置し、この状態からロック解除レバー２３ｆを時計回りに回転させることにより板ばね２３ｄの付勢力に抗して錠体２３ｃを退避させることができる。錠体２３ｃが退避されると、回転体２１０の揺動に伴って、歯車２３ｂは図面上、反時計回りに回転することができるようになる。これにより、回転体２１０と器筐体２２０のロック状態が解除され回転体２１０が容易に移動できるようになり、回転体２１０を、開くことができる。しかし、錠体２３ｃの当接面２３ｍが歯車２３ｂの谷部に当接している状態では、歯車２３ｂは、反時計回りに回転しようとしても、錠体２３ｃに圧縮方向の力を作用させるため回転することができない。従って、回転体２１０を開く方向に引いても、錠体２３ｃは歯車２３ｂに係合し、回転体２１０は揺動しない。回転体２１０と器筐体２２０で円柱などの非平面を有する柱を挟んで更に強く締め付けるときには、六角レンチなどの締付工具を歯車孔２３１から差し込み、歯車２３ｂの六角形の溝２３ｐにはめ合わせて締め上げる。これにより、スタンド２００は取り付けられた円柱などからすべり落ちることがなくなる。
【００１８】
次に、図４（２）に示す回転体２１０がロック解除状態における器筐部２３０の空間部の構造について説明する。図４（２）も図４（１）と同様に表側円弧状部２２１ａを取り除いて器筐体２３０の内部を示している。図３（２）に示すような閉じたスタンド２００を開く場合には、係合孔２３２から錠子２３ｅのロック解除レバー２３ｆで錠子２３ｅを時計回りに回動させる。これにより、錠子２３ｅの係止部２３ｉは、錠体２３ｃの切欠き部２３ｈの被係合面に当接しながら、錠体２３ｃを板ばね２３ｄの付勢力に抗して反時計回りである矢印Ｂに示す方向に回動させる。このように、錠子２３ｅを時計回りに回動させると、錠体２３ｃは板ばね２３ｄにより付勢されているため、錠子２３ｅと逆の反時計回りである矢印Ｂに示す方向に回動する。この時、歯車２３ｂの谷部に当接していた錠体２３ｃの当接面２３ｍが下方に回動するので、錠体２３ｃは歯車２３ｂの回転軌跡外に位置し、歯車２３ｂは自由に回転可能となる。そして、回転体２１０を広げる方向に揺動させることにより、図３（１）に示すようにスタンド２００を開くことが可能となる。
【００１９】
次に、表示装置１０が円柱（ア）に取り付けられた状態を図５に示す。図５（１）は、モニター１００をスタンド２００の上側に設置するように取り付けた状態である。このように表示装置１０を取り付けるためには、図１（２）に示すように表示器１１０を正面が外側に向くように矢印Ａ方向に１８０度回転させ、スタンド２００を開いた状態で円柱（ア）を挟み、その後回転体２１０を輪が挟まるように回して器筐部２３０に係合させて固定する。図５（２）は、モニター１００をスタンド２００から吊すように取り付けた状態である。このように表示装置１０を取り付けるためには、図１（２）に示すように表示器１１０を正面が外側に向くように矢印Ａ方向に１８０度回転させ、更に、モニター１００を床側、スタンド２００が天井側となるように表示装置１０の上下を逆にする。次に、スタンド２００を開いた状態で円柱（ア）を挟み、その後回転体２１０を輪が挟まるように回して器筐部２３０に係合させて固定する。また、表示装置１０には表示器１１０の向きを検出し、その向きに応じて画面を表示する機能（以下、画面表示機能という）を組み込むことが可能である。例えば、表示装置１０に重力方向検出器を備えるようにし、図５（１）から図５（２）の状態に変わったときには、画面表示機能は表示器１１０の向きを重力方向検出器により自動的に検出し、画面の上下を逆にして表示することができる。
【００２０】
尚、実施形態１においては、モニター取付溝２５０を器筐部２３０と反対側に設ける構造としたが、器筐体２２０において回転体２１０が差し込まれる箇所以外であれば、任意の位置に設けることができる。また、ピン２４０をスタンド取付部１２０と兼用した構造とすることもできる。また、実施形態１においては、表示器１１０は、スタンド取付部１２０を軸として矢印Ａ方向に３６０度回転させることができるとしたが、表示器３１０は垂直方向にも回転可能である。
【００２１】
以上のような実施形態１によれば、円柱などの非平面を有する柱に金具などを取り付けることなく、また、円柱の太さに合わせてスタンド２００を固定することができる表示装置１０を提供できる。
【００２２】
次に、本発明を実施するための第２の実施形態（以下、「実施形態２」という）を、図面を参照して説明する。実施形態２における表示装置２０の外観図、表示装置２０を固定する固定装置４００の構造、及び表示装置２０が非平面に取り付けられた状態について順に説明する。
【００２３】
図６（１）に表示装置２０のモニター３００の構造を示す。図６（１）に示すようにモニター３００は、表示器３１０、スタンド取付部３２０、及びスタンド３３０から構成されている。表示器３１０にスタンド取付部３２０が取り付けられ、更にスタンド取付部３２０にはスタンド３３０が固定されている。このようにモニター３００は、表示器３１０、スタンド取付部３２０、及びスタンド３３０とが一体となっている構造である。表示器３１０は、スタンド取付部３２０を軸として矢印Ｃ方向に１８０度回転させることができる。また、スタンド３３０の裏面にはモニター３００を固定装置４００に掛けるための差込孔（図示せず）が設けられている。
【００２４】
図６（２）に表示装置２０の固定装置４００の構造を示す。図６（２）に示すように固定装置４００は、左右のベルト４１０、左右のプレート４２０、及びプレート固定具４３０から構成されている。左右のベルト４１０の内側部分は、粘着力のあるゴムや高粘質ゲルなどの粘着素材４１１で覆われている。左右のベルト４１０が円柱に巻き付けられたときに、この粘着素材４１１により円柱を滑らないようにする。また、ベルト４１０には、ベルト４１０を固定するベルト固定具４１２を備えている。ベルト固定具４１２は、左右のベルト４１０を巻き付ける円柱のサイズに合わせて固定することができる。例えば、ベルト固定具４１２にベルト４１０と当接する面に突起を設け、この突起が左右のベルト４１０が重なる部分に刺さることで固定させることができる。左右のプレート４２０は、スタンド３３０の裏面に設けられた差込孔に差し込むことができる差込金具４２１を備えている。この差込金具４２１をスタンド３３０の裏面にある差込孔に差し込むことで、固定装置４００にモニター３００を固定する。プレート固定具４３０には、左右のベルト４１０が取り付けられ、また左右のプレート４２０を固定している。
【００２５】
表示装置２０を円柱（イ）に取り付けた状態を図７に示す。図７は、モニター３００の表示器３１０をスタンド３３０に対して平行となるように取り付けた状態である。このように表示装置２０を取り付けるためには、まず、図６（１）に示すように正面を向いている表示器３１０を矢印Ｃ方向に９０度回転させ、正面が上に向くようにする。次に、円柱（イ）に左右のベルト４１０を巻き付け、左右のベルト４１０をベルト固定具４１２で固定する。
【００２６】
尚、実施形態２においては、表示装置２０を固定装置４００の左右のベルト４１０とベルト固定具４１２により円柱（イ）に固定するようにしたが、固定装置４００の左右の側面に実施形態１の回転体２１０と器筐体２２０を取り付け、更に器筐体２２０に形成され回転体２１０の自由端２１１が挿入される器筐部２３０により表示装置２０を円柱（イ）に固定することも可能である。また、実施形態２においては、表示器３１０にスタンド取付部３２０が取り付けられ、更にスタンド取付部３２０にはスタンド３３０が固定されている構造とし、スタンド３３０を固定装置４００に取り付けるようにしたが、表示器３１０の裏面に差込孔を設け、左右のプレート４２０の差込金具４２１を表示器３１０の差込孔に差し込むことで、固定装置４００に表示器３１０を固定することも可能である。また、実施形態２においては、表示器３１０は、スタンド取付部３２０を軸として矢印Ｃ方向である垂直方向に１８０度回転させることができるとしたが、表示器３１０は水平方向にも回転可能である。
【００２７】
以上のような実施形態２によれば、円柱などの非平面を有する柱に金具などを取り付けることなく、また、円柱の太さに合わせて巻き付けることができる表示装置２０を提供できる。更に、表示装置２０の固定装置４００のプレート固定具４３０は平面となっているので、このプレート固定具４３０の背面を四角形の柱に当接するように固定することで、四角形の柱の太さに合わせて表示装置２０を巻き付けることができる。
【００２８】
尚、実施形態１と実施形態２において、表示装置１０と表示装置２０は、液晶、プラズマ、ＳＥＤ（Surface-conduction Electron-emitter Display）、有機ＥＬ（Electroluminescence）などの表示器を備えた表示装置に適用可能である。
【００２９】
以上、具体的な実施の形態により本発明を説明したが、上記実施の形態は本発明の例示であり、この実施の形態に限定されないことは言うまでもない。
【産業上の利用可能性】
【００３０】
本発明は、表示装置に好適であるが、表示装置に限られるものではなく、取り付けが必要な装置一般に適用可能である。
【符号の説明】
【００３１】
１０・・・・・・・表示装置
２０・・・・・・・表示装置
１００・・・・・・・モニター
１１０・・・・・・・表示器
１２０・・・・・・・スタンド取付部
２００・・・・・・・スタンド
２１０・・・・・・・回転体
２１１・・・・・・・自由端
２１２・・・・・・・歯孔
２１３・・・・・・・弧状溝
２１４・・・・・・・基端部
２２０・・・・・・・器筐体
２２１・・・・・・・円弧状部
２２１ａ・・・・・・表側円弧状部
２２１ｂ・・・・・・裏側円弧状部
２２２・・・・・・・先端部
２３０・・・・・・・器筐部
２３１・・・・・・・歯車孔
２３２・・・・・・・係合孔
２３ａ・・・・・・・突起
２３ｂ・・・・・・・歯車
２３ｃ・・・・・・・錠体
２３ｄ・・・・・・・板ばね
２３ｅ・・・・・・・錠子
２３ｆ・・・・・・・ロック解除レバー
２３ｇ・・・・・・・基端部
２３ｈ・・・・・・・切欠き部
２３ｉ・・・・・・・係止部
２３ｊ・・・・・・・軸
２３ｋ・・・・・・・支柱
２３ｍ・・・・・・・当接面
２３ｎ・・・・・・・軸
２３ｐ・・・・・・・溝
２３ｑ・・・・・・・支柱
２４０・・・・・・・ピン
２５０・・・・・・・モニター取付溝
２６０・・・・・・・水平保持カバー
２７０・・・・・・・粘着素材
３００・・・・・・・モニター
３１０・・・・・・・表示器
３２０・・・・・・・スタンド取付部
３３０・・・・・・・スタンド
４００・・・・・・・固定装置
４１０・・・・・・・ベルト
４１１・・・・・・・粘着素材
４１２・・・・・・・ベルト固定具
４２０・・・・・・・プレート
４２１・・・・・・・差込金具
４３０・・・・・・・プレート固定具
【図１】
2012032742.tif 000003
【図２】
2012032742.tif 000004
【図３】
2012032742.tif 000005
【図４】
2012032742.tif 000006
【図５】
2012032742.tif 000007
【図６】
2012032742.tif 000008
【図７】
2012032742.tif 000009